【手続補正書】
【提出日】平成19年12月14日(2007.12.14)
【手続補正１】
【補正対象書類名】明細書
【補正対象項目名】特許請求の範囲
【補正方法】変更
【補正の内容】
【特許請求の範囲】
【請求項１】  複数の画像を記憶する記憶手段と、
複数のシーンで構成されるシナリオデータの各シーンに上記記憶手段に記憶された複数の画像を、それぞれ任意に対応させる対応付け手段と
を備えることを特徴とする情報処理装置。
【請求項２】  上記複数のシーンは、それぞれ異なる所定の長さである
ことを特徴とする請求項１に記載の情報処理装置。
【請求項３】  上記シーンの長さに合わせて、上記対応付け手段で対応付けされた上記画像を修正する修正手段を
さらに備えることを特徴とする請求項１に記載の情報処理装置。
【請求項４】  上記シナリオデータに基づいて、上記対応付け手段で対応付けされた複数の上記画像を連続して再生する再生手段を
さらに備えることを特徴とする請求項３に記載の情報処理装置。
【請求項５】  上記再生手段は、上記シーンに対応付けされた所定の特殊効果情報に基づいて、複数の上記画像に上記特殊効果情報を適用して再生する
ことを特徴とする請求項４に記載の情報処理装置。
【請求項６】  上記シーンに対して複数の特殊効果情報の中から対応付ける特殊効果情報を任意に決定する決定手段をさらに備え、
上記再生手段は、上記決定手段の決定結果に基づいて、複数の上記画像に上記特殊効果情報を適用して再生する
ことを特徴とする請求項４に記載の情報処理装置。
【請求項７】  上記対応付け手段は、複数のシナリオデータの中から選択されたシナリオデータの上記複数のシーンに対して、上記記憶手段に記憶された複数の上記画像を任意に対応付ける
ことを特徴とする請求項１に記載の情報処理装置。
【請求項８】  上記対応付け手段は、繰り返し連続再生を前提とする第１のシナリオデータと、繰り返し再生を前提としない第２のシナリオデータのうち、ユーザからの指令に対応するシナリオデータを用いて対応付けを行う
ことを特徴とする請求項７に記載の情報処理装置。
【請求項９】  上記記憶手段に記憶された複数の画像を編集画像として登録する登録手段と、
編集対象である複数の上記画像に関する情報を一覧表示する画像情報表示手段と、
複数の上記シーンの順番に従って、上記対応付け手段で対応付けられた複数の上記画像に関する情報を並べて表示する出力情報表示手段と
をさらに備えることを特徴とする請求項１に記載の情報処理装置。
【請求項１０】  記憶手段が複数の画像を記憶する記憶ステップと、
複数のシーンで構成されるシナリオデータの各シーンに上記記憶手段に記憶された複数の画像を、それぞれ任意に対応させる対応付け処理ステップと
を含むことを特徴とする情報処理方法。
【請求項１１】  上記シーン各々の長さに合わせて、対応付けされた上記画像各々を修正する修正ステップを
さらに含むことを特徴とする請求項１０に記載の情報処理方法。
【請求項１２】  上記シナリオデータに基づいて、複数の上記画像を連続して再生する再生処理ステップを
さらに含むことを特徴とする請求項１１に記載の情報処理方法。
【請求項１３】  上記シーンに対して複数の特殊効果情報の中から対応付ける特殊効果情報を任意に決定する決定処理ステップを
さらに含むことを特徴とする請求項１２に記載の情報処理方法。
【請求項１４】 上記記憶手段に記憶された複数の上記画像に関する情報を一覧表示する画像情報表示処理ステップと、
複数の上記シーンの順番に従って、上記対応付け処理ステップで対応付けられた複数の上記画像に関する情報を並べて表示する出力情報表示処理ステップと
をさらに含むことを特徴とする請求項１０に記載の情報処理方法。
【請求項１５】 記憶手段が複数の画像を記憶する記憶ステップと、
複数のシーンで構成されるシナリオデータの各シーンに上記記憶手段に記憶された複数の画像を、それぞれ任意に対応させる対応付け処理ステップと
を含むことを特徴とするコンピュータが読み取り可能なプログラムが格納されているプログラム格納媒体。
【請求項１６】 上記シーン各々の長さに合わせて、対応付けされた上記画像各々を修正する修正ステップを
さらに含むことを特徴とする請求項１５に記載のコンピュータが読み取り可能なプログラムが格納されているプログラム格納媒体。
【請求項１７】 上記シナリオデータに基づいて、複数の上記画像を連続して再生する再生処理ステップを
さらに含むことを特徴とする請求項１６に記載のコンピュータが読み取り可能なプログラムが格納されているプログラム格納媒体。
【請求項１８】  上記シーンに対して複数の特殊効果情報の中から対応付ける特殊効果情報を任意に決定する決定処理ステップを
さらに含むことを特徴とする請求項１７に記載のコンピュータが読み取り可能なプログラムが格納されているプログラム格納媒体。
【請求項１９】 上記記憶手段に記憶された複数の上記画像に関する情報を一覧表示する画像情報表示処理ステップと、
複数の上記シーンの順番に従って、上記対応付け処理ステップで対応付けられた複数の上記画像に関する情報を並べて表示する出力情報表示処理ステップと
をさらに含むことを特徴とする請求項１８に記載のコンピュータが読み取り可能なプログラムが格納されているプログラム格納媒体。
【手続補正２】
【補正対象書類名】明細書
【補正対象項目名】０００５
【補正方法】変更
【補正の内容】
【０００５】
【課題を解決するための手段】
本発明の情報処理装置は、複数の画像を記憶する記憶手段と、複数のシーンで構成されるシナリオデータの各シーンに記憶手段に記憶された複数の画像を、それぞれ任意に対応させる対応付け手段とを備えることを特徴とする。
【手続補正３】
【補正対象書類名】明細書
【補正対象項目名】００１１
【補正方法】変更
【補正の内容】
【００１１】
上記対応付け手段は、複数のシナリオデータの中から選択されたシナリオデータの複数のシーンに対して、記憶手段に記憶された複数の画像を任意に対応付けるようにすることができる。
上記対応付け手段は、繰り返し連続再生を前提とする第１のシナリオデータと、繰り返し再生を前提としない第２のシナリオデータのうち、ユーザからの指令に対応するシナリオデータを用いて対応付けを行うようにすることができる。
【手続補正４】
【補正対象書類名】明細書
【補正対象項目名】００１２
【補正方法】変更
【補正の内容】
【００１２】
記憶手段に記憶された複数の画像を編集画像として登録する登録手段と、編集対象である複数の画像に関する情報を一覧表示する画像情報表示手段と、複数のシーンの順番に従って、対応付け手段で対応付けられた複数の画像に関する情報を並べて表示する出力情報表示手段をさらに設けるようにすることができる。
【手続補正５】
【補正対象書類名】明細書
【補正対象項目名】００１３
【補正方法】削除
【補正の内容】
【手続補正６】
【補正対象書類名】明細書
【補正対象項目名】００１４
【補正方法】変更
【補正の内容】
【００１４】
本発明の情報処理方法は、記憶手段が複数の画像を記憶する記憶ステップと、複数のシーンで構成されるシナリオデータの各シーンに記憶手段に記憶された複数の画像を、それぞれ任意に対応させる対応付け処理ステップとを含むことを特徴とする。
上記シーン各々の長さに合わせて、対応付けされた画像各々を修正する修正ステップをさらに含むようにすることができる。
上記シナリオデータに基づいて、複数の画像を連続して再生する再生処理ステップをさらに含むようにすることができる。
【手続補正７】
【補正対象書類名】明細書
【補正対象項目名】００１６
【補正方法】変更
【補正の内容】
【００１６】
記憶手段に記憶された複数の画像に関する情報を一覧表示する画像情報表示処理ステップと、複数のシーンの順番に従って、対応付け処理ステップで対応付けられた複数の画像に関する情報を並べて表示する出力情報表示処理ステップとをさらに含むようにすることができる。
【手続補正８】
【補正対象書類名】明細書
【補正対象項目名】００１７
【補正方法】変更
【補正の内容】
【００１７】
本発明の格納媒体のプログラムは、記憶手段が複数の画像を記憶する記憶ステップと、複数のシーンで構成されるシナリオデータの各シーンに記憶手段に記憶された複数の画像を、それぞれ任意に対応させる対応付け処理ステップとを含むことを特徴とする。
上記シーン各々の長さに合わせて、対応付けされた画像各々を修正する修正ステップをさらに含むようにすることができる。
上記シナリオデータに基づいて、複数の画像を連続して再生する再生処理ステップをさらに含むようにすることができる。
【手続補正９】
【補正対象書類名】明細書
【補正対象項目名】００１９
【補正方法】変更
【補正の内容】
【００１９】
記憶手段に記憶された複数の画像に関する情報を一覧表示する画像情報表示処理ステップと、複数のシーンの順番に従って、対応付け処理ステップで対応付けられた複数の画像に関する情報を並べて表示する出力情報表示処理ステップとをさらに含むようにすることができる。